(57)【要約】【課題】光センサーの分光特性の経年変化の影響を低減することができる光源装置を提供する。【解決手段】光源装置は、ＲＧＢの色成分を含む混色光を射出する光源部２と、光源部２の射出光の各色成分の光量を検出する光センサー３と、少なくとも一つの色成分について、光源部２に供給される電流量の変化に対する光センサー３の検出値の変化を示す第１の特性データを予め格納した記憶部４と、光センサー３で検出した各色成分の検出値に基づいて、光源部２の射出光の色温度を制御する制御部１と、を有する。制御部１は、光源部２に供給される電流量を段階的に変化させて、少なくとも一つの色成分について、段階的な電流量の変化に対する光センサー３の検出値の変化を示す第２の特性データを取得し、該第２の特性データと第１の特性データとの差分に基づいて、光センサー３の検出値を補正する。【選択図】図１
2019158642.tif 000002
【特許請求の範囲】
【請求項１】
電流の供給を受けて、赤色成分、緑色成分および青色成分を含む混色光を射出し、供給電流量に応じて各色成分の光量および割合が変化する光源部と、
前記光源部の射出光の一部を前記赤色成分、緑色成分および青色成分に分離し、各色成分の光量を検出する光センサーと、
前記赤色成分、緑色成分および青色成分の少なくとも一つの色成分について、前記光源部に供給される電流量の変化に対する前記光センサーの検出値の変化を示す第１の特性データを予め格納した記憶部と、
前記光センサーが検出した前記各色成分の検出値に基づいて、前記光源部の射出光の色温度が所定の値になるように前記光源部に供給される電流量を制御する制御部と、を有し、
前記制御部は、任意のタイミングで、前記光源部に供給される電流量を段階的に変化させて、前記少なくとも一つの色成分について、段階毎の前記光センサーの検出値を取得し、該段階的な電流量の変化に対する前記光センサーの検出値の変化を示す第２の特性データを取得し、該第２の特性データと前記第１の特性データとの差分に基づいて、前記光センサーが検出した前記少なくとも一つの色成分の検出値を補正する、光源装置。
【請求項２】
前記少なくとも一つの色成分が前記緑色成分である、請求項１に記載の光源装置。
【請求項３】
前記記憶部は、前記色成分毎に、前記光源部に供給される電流量の変化に対する前記光センサーの検出値の変化を示す前記第１の特性データを記憶し、
前記制御部は、前記色成分毎に、前記第２の特性データを取得し、該第２の特性データと前記第１の特性データとの差分に基づいて、前記光センサーが検出した前記各色成分の検出値を補正する、請求項１に記載の光源装置。
【請求項４】
前記色成分の検出値の補正が行われた後に、前記制御部は、前記光センサーで検出した前記各色成分の検出値に基づいて前記光源部の射出光の色温度を算出する、請求項１乃至３のいずれか一項に記載の光源装置。
【請求項５】
前記光源部は、
青色レーザ光を射出するレーザ光源と、
前記青色レーザ光の一部を前記赤色成分および緑色成分を含む蛍光に変換し、該蛍光と該青色レーザ光の残りとを含む混色光を射出する蛍光体部と、を有し、
前記制御部は、前記光センサーが検出した前記各色成分の検出値に基づいて、前記光源部の射出光の色温度が所定の値になるように前記レーザ光源に供給される電流量を制御する、請求項１乃至４のいずれか一項に記載の光源装置。
【請求項６】
前記光源部の射出光の一部を受光し、前記レーザ光源の明るさを検出する明るさセンサーを、さらに有し、
前記制御部は、前記第１の特性データを取得した時点で前記明るさセンサーが検出した前記レーザ光源の明るさの検出値に対する、前記第２の特性データを取得した時点で前記明るさセンサーが検出した前記レーザ光源の明るさの検出値の比率に基づいて、前記第２の特性データを補正する、請求項５に記載の光源装置。
【請求項７】
請求項１乃至６のいずれか一項に記載の光源装置と、
入力映像信号に基づいて前記光源装置の射出光を変調して画像を形成する画像形成部と、
前記画像形成部で形成された画像を投写する投写光学系と、を有する、プロジェクタ。
【請求項８】
電流の供給を受けて、赤色成分、緑色成分および青色成分を含む混色光を射出し、供給電流量に応じて各色成分の光量および割合が変化する光源部の射出光の一部を、前記赤色成分、緑色成分および青色成分に分離し、各色成分の光量を検出する光センサーの補正方法であって、
前記赤色成分、緑色成分および青色成分の少なくとも一つの色成分について、前記光源部に供給される電流量の変化に対する前記光センサーの検出値の変化を示す第１の特性データを予め記憶し、
任意のタイミングで、前記光源部に供給される電流量を段階的に変化させて、前記少なくとも一つの色成分について、段階毎の前記光センサーの検出値を取得し、該段階的な電流量の変化に対する前記光センサーの検出値の変化を示す第２の特性データを取得し、該第２の特性データと前記第１の特性データとの差分に基づいて、前記光センサーが検出した前記少なくとも一つの色成分の検出値を補正する、光センサーの補正方法。
【発明の詳細な説明】
【技術分野】
【０００１】
本発明は、光源装置、プロジェクタ及び光センサーの補正方法に関する。
【背景技術】
【０００２】
光源装置の射出光（白色）を赤色成分（Ｒ）、緑色成分（Ｇ）及び青色成分（Ｂ）に分離し、各色成分の光を変調した画像を投写するプロジェクタが知られている。このプロジェクタにおいて、光源装置の射出光の色温度を一定に維持することが望ましい。
白色光を射出する光源装置には、ランプ光源を用いたものや、色の異なる複数の固体光源を用いたものがある。固体光源は、例えば、レーザダイオード（ＬＤ）等のレーザ光源、発光ダイオード（ＬＥＤ）、蛍光体などである。
ランプ光源を用いた光源装置では、射出光（白色）の色温度を調整することはできない。一方、色の異なる複数の固体光源を用いた光源装置では、各固体光源の電流量を制御することで、射出光の色温度を調整することができる。
【０００３】
一般に、色温度の調整が可能な光源装置では、入射光をＲＧＢの各色成分に分離するカラーフィルターを備えた光センサーが用いられる。光センサーは、光源装置の射出光の一部を受光し、ＲＧＢの各色成分の光量を検出する。制御部が、ＲＧＢの各色成分の検出値に基づいて、光源装置の射出光の色温度が所定の値になるように各固体光源に供給される電流量を制御する。
【０００４】
特許文献１には、複数の光センサーを用いて色温度の調整を行うプロジェクタが記載されている。このプロジェクタでは、個体差による各光センサーの出力値のバラつきを解決するために、ＲＧＢのうちの特定の色成分の光を用いて各光センサーの出力値を補正する。
【先行技術文献】
【特許文献】
【０００５】
【特許文献１】特開２０１６−４５１７５号公報
【発明の概要】
【発明が解決しようとする課題】
【０００６】
しかしながら、上述した光センサーを用いて色温度を調整する光源装置には、以下のような問題がある。
長期間に亘ってレーザ光源等の光源からの光を光センサーで検出すると、光センサーの分光特性（カラーフィルターの分光透過特性）が変化する。
【０００７】
例えば、青色光や赤色光の照射により、緑色分光特性のパス／カットの立ち上がり部分や立ち下がり部分に経年変化を生じる。青色分光特性や赤色分光特性についても、同様の経年変化を生じる。特に、レーザ光は、スペクトル幅が非常に狭く、エネルギー密度の高いものであることから、レーザ光源を用いた場合には、分光特性の経年変化が顕著に表れる。
光センサーの分光特性が変化すると、ＲＧＢの各色成分の光量を正確に検出することができない。その結果、光源装置の射出光の色温度を目標値に調整することが困難になる。
【０００８】
なお、分光特性が変化した光センサーを新しい光センサーに交換することで、上記問題を解決することができる。しかし、通常、光センサーは光源ユニット内に収容されており、光センサーを交換するためには、光源ユニットを取り出し、光源を外すなど、非常に手間がかかる作業を使用者に強いることになる。このように、光センサーの交換作業は、使用者にとって非常に煩わしい。
【０００９】
特許文献１に記載のプロジェクタにおいては、個体差による各光センサーの出力値のバラつきを解決することはできるものの、光センサーの分光特性の経年変化については考慮されていない。このため、光センサーの分光特性が変化した場合に、上記と同様の問題を生じる。
【００１０】
本発明の目的は、上記問題を解決し、光センサーの分光特性の経年変化の影響を低減することができる、光源装置、プロジェクタ及び光センサーの補正方法を提供することにある。
【課題を解決するための手段】
【００１１】
上記目的を達成するため、本発明の第１の光源装置は、電流の供給を受けて、赤色成分、緑色成分および青色成分を含む混色光を射出し、供給電流量に応じて各色成分の光量および割合が変化する光源部と、前記光源部の射出光の一部を前記赤色成分、緑色成分および青色成分に分離し、各色成分の光量を検出する光センサーと、前記赤色成分、緑色成分および青色成分の少なくとも一つの色成分について、前記光源部に供給される電流量の変化に対する前記光センサーの検出値の変化を示す第１の特性データを予め格納した記憶部と、前記光センサーが検出した前記各色成分の検出値に基づいて、前記光源部の射出光の色温度が所定の値になるように前記光源部に供給される電流量を制御する制御部と、を有する。前記制御部は、任意のタイミングで、前記光源部に供給される電流量を段階的に変化させて、前記少なくとも一つの色成分について、段階毎の前記光センサーの検出値を取得し、該段階的な電流量の変化に対する前記光センサーの検出値の変化を示す第２の特性データを取得し、該第２の特性データと前記第１の特性データとの差分に基づいて、前記光センサーが検出した前記少なくとも一つの色成分の検出値を補正する。
【００１２】
本発明の第１のプロジェクタは、上記光源装置と、入力映像信号に基づいて前記光源装置の射出光を変調して画像を形成する画像形成部と、前記画像形成部で形成された画像を投写する投写光学系と、を有する。
【００１３】
本発明の第１の光センサーの補正方法は、電流の供給を受けて、赤色成分、緑色成分および青色成分を含む混色光を射出し、供給電流量に応じて各色成分の光量および割合が変化する光源部の射出光を、前記赤色成分、緑色成分および青色成分に分離し、各色成分の光量を検出する光センサーの補正方法であって、前記赤色成分、緑色成分および青色成分の少なくとも一つの色成分について、前記光源部に供給される電流量の変化に対する前記光センサーの検出値の変化を示す第１の特性データを予め記憶し、任意のタイミングで、前記光源部に供給される電流量を段階的に変化させて、前記少なくとも一つの色成分について、段階毎の前記光センサーの検出値を取得し、該段階的な電流量の変化に対する前記光センサーの検出値の変化を示す第２の特性データを取得し、該第２の特性データと前記第１の特性データとの差分に基づいて、前記光センサーが検出した前記少なくとも一つの色成分の検出値を補正することを含む。
【発明の効果】
【００１４】
本発明によれば、部品交換なしに、光センサーの分光特性の経年変化の影響を低減することができる。
【図面の簡単な説明】
【００１５】
【図１】本発明の第１の実施形態による光源装置の構成を示すブロック図である。
【図２】本発明の第２の実施形態による光源装置を備えたプロジェクタの構成を示すブロック図である。
【図３】青色レーザ光の分光特性図である。
【図４】光センサーの分光特性の経時変化を説明するための分光特性図である。
【図５】初期段階の特性データの作成手順を示すフローチャートである。
【図６】光センサーの分光特性に経時変化を生じた場合の特性データ及び電流値対差分データの作成手順を示すフローチャートである。
【図７】テーブル補正計算の具体的な処理手順を示すフローチャートである。
【図８】、図５に示した手順で作成した特性データの一例を示す図である。
【図９】図６に示した手順で作成した特性データの一例を示す図である。
【図１０】色温度制御処理の一手順を示すフローチャートである。
【発明を実施するための形態】
【００１６】
次に、本発明の実施形態について図面を参照して説明する。
（第１の実施形態）
図１は、本発明の第１の実施形態による光源装置の構成を示すブロック図である。
図１を参照すると、光源装置は、制御部１、光源部２、光センサー３及び記憶部４を有する。光源部２は、電流の供給を受けて、赤色成分（Ｒ）、緑色成分（Ｇ）および青色成分（Ｂ）を含む混色光を射出し、供給電流量に応じて各色成分の光量および割合が変化するように構成されている。光源部２の射出光が、光源装置の射出光である。
【００１７】
光センサー３は、光源部２の射出光の一部を受光し、受光した光を赤色成分、緑色成分および青色成分に分離し、各色成分の光量を検出する。光センサー３は、各色成分の光量を検出した結果を示す検出信号を制御部１に送信する。
記憶部４は、赤色成分、緑色成分および青色成分の少なくとも一つの色成分について、光源部２に供給される電流量の変化に対する光センサー３の検出値の変化を示す第１の特性データを予め格納している。
【００１８】
制御部１は、光センサー３で検出した各色成分の検出値に基づいて、光源部２の射出光の色温度が所定の値になるように光源部２に供給される電流量を制御する。また、制御部１は、任意のタイミングで、光源部２に供給される電流量を段階的に変化させて、上記の少なくとも一つの色成分について、段階毎の光センサー３の検出値を取得し、該段階的な電流量の変化に対する光センサー３の検出値の変化を示す第２の特性データを取得する。そして、制御部１は、第２の特性データと第１の特性データとの差分に基づいて、光センサー３で検出した上記少なくとも一つの色成分の検出値を補正する。
【００１９】
本実施形態の光源装置によれば、以下のような作用効果を奏する。
分光特性の経年変化に伴って光センサー３の検出値に誤差を生じる。第１の特性データと第２の特性データの差分は、分光特性の経年変化に伴って生じた光センサー３の検出値の誤差に相当する。本実施形態の光源装置では、第１の特性データと第２の特性データの差分に基づいて、光センサー３の検出値を補正する。これにより、分光特性の経年変化に伴って生じた誤差を取り除くことができる。したがって、部品交換なしに、光センサー３の分光特性の経年変化の影響を低減することができる。
【００２０】
本実施形態の光源装置において、少なくとも一つの色成分は緑色成分であっても良い。
また、本実施形態の光源装置において、記憶部４が、色成分毎に、光源部２に供給される電流量の変化に対する光センサー３の検出値の変化を示す第１の特性データを記憶しても良い。この場合、制御部１は、色成分毎に、第２の特性データを取得し、該第２の特性データと第１の特性データとの差分に基づいて、光センサー３で検出した各色成分の検出値を補正しても良い。
また、色成分の検出値の補正が行われた後に、制御部１は、光センサー３で検出した色成分の検出値に基づいて光源部２の射出光の色温度を算出しても良い。
【００２１】
また、本実施形態の光源装置において、光源部２は、青色レーザ光を射出するレーザ光源と、青色レーザ光の一部を赤色成分および緑色成分を含む蛍光に変換し、該蛍光と該青色レーザ光の残りとを含む混色光を射出する蛍光体部と、を有していても良い。この場合、制御部１は、光センサー３で検出した各色成分の検出値に基づいて、光源部２の射出光の色温度が所定の値になるように青色レーザ光源に供給される電流量を制御しても良い。
上記の場合、光源部２の射出光の一部を受光し、レーザ光源の明るさを検出する明るさセンサーを、さらに有していても良い。この場合、制御部１は、第１の特性データを取得した時点で明るさセンサーが検出したレーザ光源の明るさの検出値に対する、第２の特性データを取得した時点で明るさセンサーが検出したレーザ光源の明るさの検出値の比率に基づいて、第２の特性データを補正しても良い。
【００２２】
また、本実施形態の光源装置と、入力映像信号に基づいて光源装置の射出光を変調して画像を形成する画像形成部と、画像形成部で形成された画像を投写する投写光学系と、を有する、プロジェクタが提供されても良い。
【００２３】
（第２の実施形態）
図２は、本発明の第２の実施形態による光源装置を備えたプロジェクタの構成を示すブロック図である。
【００２４】
図２を参照すると、プロジェクタは、制御部１０、電源部１１、光源制御部１２、光源部１３、光学エンジン１４、投写レンズ１５、ＵＩ（User Interface）部１６、映像入力部１７、画像変換部１８、映像出力部１９、光センサー２０、記憶部２１及び明るさセンサー２２を有する。制御部１０、電源部１１、光源制御部１２、光源部１３、ＵＩ部１６、光センサー２０記憶部２１及び明るさセンサー２２からなる部分を光源装置と呼ぶことができる。ここで、制御部１０と光源制御部１２は、ＣＰＵ（Central Processing Unit）等からなる一つの制御部で構成されても良い。
【００２５】
電源部１１は、プロジェクタの各部に電力を供給する。光源部１３は、複数のレーザ光源１３ａと、これらレーザ光源１３ａからのレーザ光を白色光に変換して射出する光学部１３ｂとを有する。光学部１３ｂの射出光（白色光）が、光源部１３の射出光である。各レーザ光源１３ａには、電源部１１から光源制御部１２を介して電力（電流）が供給される。光源部１３は、電流の供給を受けて、赤色成分、緑色成分および青色成分を含む混色光を射出し、供給電流量に応じて各色成分の光量および割合が変化する光源部の一例である。
【００２６】
光学エンジン１４は、映像出力部１９から供給された映像信号に基づいて画像を形成する表示部１４ａを有する。表示部１４ａは、光源部１３の射出光（白色光）を複数の色光に分離し、各色光を空間的／時間的に変調して画像を形成する表示パネルを有する。表示パネルとして、ＤＭＤ（デジタルミラーデバイス）や液晶表示パネルなどを用いることができる。投写レンズ１５は、表示部１４ａで形成した画像を投写面上に拡大投写する。
【００２７】
光センサー２０は、光源部１３の射出光（白色光）の一部を受光できるように配置されている。光センサー２０が受光する光は、光学エンジン１４へ向かう有効光ではなく、画像の形成に寄与しない非有効光である。光センサー２０は、受光した光を赤色成分、緑色成分および青色成分に分離し、各色成分の光量を検出する。光センサー２０は、各色成分の光量を検出した結果を示す検出信号を制御部１０に送信する。例えば、光センサー２０は、所定の取り込み時間に亘って、ＲＧＢの各色成分のデータを積算し、その結果をセンサーデータ値として出力する。
【００２８】
明るさセンサー２２は、光源部１３の射出光（白色光）の一部を受光できるように配置されている。明るさセンサー２２は、光源部１３の明るさを示す検出信号（又は、光源部１３からの入射光量を示す検出信号）を制御部１０に送信する。光源部１３の明るさは、光源部１３に設定される電流値に相当する。例えば、明るさセンサー２２は、所定の取り込み時間に亘って、明るさのデータを積算し、その結果をセンサーデータ値として出力する。明るさセンサーは、照度センサーとも呼ばれる。明るさセンサー２２は、光センサー２０に内蔵されても良い。
【００２９】
映像入力部１７は、外部映像出力機器から映像信号を受信する。映像入力部１７は、外部映像出力機器から受信した映像信号を画像変換部１８に供給する。外部映像出力機器は、例えば、パーソナルコンピュータやＤＶＤ（Digital Versatile Disc）プレイヤーなどである。映像信号は、デジタル映像信号又はアナログ映像信号である。
画像変換部１８は、映像入力部１７から供給された映像信号に対して、表示部１４ａでの画像形成に必要な画像変換処理（例えば、解像度変換処理や画像圧縮処理など）を施す。画像変換部１８は、画像変換処理後の映像信号を映像出力部１９に供給する。映像出力部１９は、画像変換部１８からの映像信号を表示部１４ａに出力する。
【００３０】
ＵＩ部１６は、使用者の入力を受け付け、その入力に応じた操作信号を制御部１０に供給する。使用者は、ＵＩ部１６を用いてプロジェクタを動作させるのに必要な情報（例えば、色温度調整に必要な情報）を入力することができる。また、使用者は、ＵＩ部１６を用いて、電源のＯｆｆ／Ｏｎ操作を行うことができる。
光源制御部１２は、制御部１０からの制御信号に従い、光源部１３の各レーザ光源１３ｂの点灯動作を制御する。例えば、光源制御部１２は、制御部１０からの制御信号に従い、各レーザ光源１３ｂの供給電流量を制御する。
【００３１】
記憶部２１は、プロジェクタを動作させるのに必要なプログラムやデータを格納する。また、記憶部２１は、例えば、特性データ２１ａ、２１ｂ及び電流値対差分データ２１ｃを格納することができる。特性データ２１ａは、工場出荷時に取得したデータである。特性データ２１ｂは、任意のタイミングで取得したデータである。特性データ２１ａ、２１ｂはいずれも、レーザ光源１３ｂに供給される電流量の変化に対する光センサー２０の検出値の変化を示すテーブルデータからなる。このテーブルデータは、レーザ光源１３ｂに供給される電流量を段階的に変化させて、各色成分について、段階毎の光センサー２０の検出値を取得することで作成できる。電流値対差分データ２１ｃは、特性データ２１ａ、２１ｂに基づいて作成される。
【００３２】
制御部１０は、ＣＰＵ等からなり、ＵＩ部１６からの操作信号に従い、プロジェクタの各部の動作を制御する。例えば、制御部１０は、特性データ２１ａ、２１ｂ及び電流値対差分データ２１ｃを作成する処理、光センサー２０の検出値を補正する処理、及び、光センサー２０の検出信号に基づいて、光源部１３の射出光の色温度を所定の値に維持する調整する処理などを行う。
【００３３】
次に、本実施形態のプロジェクタの動作について詳細に説明する。
まず、光センサー２０の分光特性の経時変化及びその影響について説明する。ここでは、光源部１３が、青色レーザ光を含む混色光を射出するものと仮定する。
【００３４】
図３は、青色レーザ光の分光特性図である。この分光特性の例では、青色波長域である約４５０ｎｍ付近の波長が突出して高く、光強度が集中している。
図４は、光センサー２０の分光特性の経時変化を説明するための分光特性図である。図４において、破線で示したグラフが、初期段階での光センサーの分光特性を示す波形である。実線で示したグラフが、長期間の使用に伴って経時変化を生じた光センサー２０の分光特性を示す波形である。初期段階とは、例えば、工場出荷時を示す。
【００３５】
光センサー２０が、図３に示すようなスペクトル幅が非常に狭く、エネルギー密度の高い青色レーザ光を長期間に亘って受光すると、図４に示すように、光センサー２０の分光特性に経時変化を生じる。
図４の例では、緑色分光特性のパス／カットの立ち上がり部分が短波長側にシフトし（図４中の「Ａ」で示す経時変化）、パス／カットの立ち下がり部分が長波長側にシフトしている。また、青色分光特性及び赤色分光特性についても、パス／カットの立ち上がり部分が短波長側にシフトし、パス／カットの立ち下がり部分が長波長側にシフトしている。ただし、青色分光特性及び赤色分光特性のシフト量は、緑色分光特性のシフト量に比較して少ない。
【００３６】
図４に示したような経時変化を生じた光センサー２０を用いて光源部１３の射出光を検出した場合、光センサー２０のＲＧＢの各色成分の検出値に誤差を生じる。例えば、緑色分光特性の「Ａ」の経時変化のために、青色成分の一部の光が緑色成分として検出されることになり、緑色成分の光を正確に検出することができない。例えば、光源部１３が青色光のみを射出したとしても、光センサー２０では、光源部１３の射出光が青色成分及び緑色成分の光として検出されてしまう。
【００３７】
本実施形態のプロジェクタでは、制御部１０が、分光特性に経時変化を生じた光センサー２０の出力値を補正するために、特性データ２１ａ、２１ｂ及び電流値対差分データ２１ｃを作成する。
【００３８】
以下、特性データ２１ａ、２１ｂ及び電流値対差分データ２１ｃを作成する処理を具体的に説明する。
【００３９】
まず、特性データ２１ａの作成処理について説明する。
図５は、初期段階の特性データ２１ａの作成手順を示すフローチャートである。
図５を参照すると、まず、制御部１０が、ＵＩ部１６からの初期段階の起動指示に従って、光源制御部１２に対して、第１段階の電流値を設定する（ステップＳ１０）。ここでは、所定の電流設定範囲を、例えば、最大電流値の５％ごとの複数の段階に分ける。制御部１０は、第１段階の電流値として、所定の電流設定範囲の最小電流値を設定する。なお、電流設定範囲及び各段階の電流値は、使用者が、ＵＩ部１６を用いて任意に設定することができる。
【００４０】
次に、光源制御部１２が、ステップＳ１０で設定した電流値でレーザ光源１３ａを動作させる（ステップＳ１１）。
次に、光センサー２０が、光源部１３の射出光の一部を受光し、ＲＧＢの各色成分の検出値を示す検出信号を制御部１０に送信する。そして、制御部１０が、光センサー２０からの検出信号に基づき、ＲＧＢの各色成分の光センサーデータ値を取得する（ステップＳ１２）。
【００４１】
次に、明るさセンサー２２が、光源部１３の射出光の一部を受光し、明るさを示す検出信号を制御部１０に送信する。そして、制御部１０が、明るさセンサー２２からの検出信号に基づき、明るさセンサーデータ値を取得する（ステップＳ１３）。このステップＳ１３は、ステップＳ１２の前に行われても良い。
【００４２】
次に、制御部１０が、現在の電流設定値が最大電流値であるか否かを判定する（ステップＳ１４）。
ステップＳ１４の判定結果が「Ｎｏ」である場合、制御部１０が、光源制御部１２に対して、次段階の電流値を設定する（ステップＳ１５）。このステップＳ１５の後、ステップＳ１１が実行される。
【００４３】
ステップＳ１４の判定結果が「Ｙｅｓ」である場合、制御部１０が、最小電流値から最大電流値までの電流値対センサー値のテーブルを作成する（ステップＳ１６）。
最後に、制御部１０が、ステップＳ１６で作成したテーブルを基準テーブルとして記憶部２１に格納する（ステップＳ１７）。この基準テーブルが、特性データ２１ａである。
次に、特性データ２１ｂ及び電流値対差分データ２１ｃの作成処理について説明する。
【００４４】
図６は、特性データ２１ｂ及び電流値対差分データ２１ｃの作成手順を示すフローチャートである。
図６を参照すると、まず、制御部１０が、ＵＩ部１６からの２回目以降の起動指示に従って、光源制御部１２に対して、第１段階の電流値を設定する（ステップＳ２０）。電流設定範囲及び段階の設定は、特性データ２１ａの作成処理と同様であり、制御部１０は、第１段階の電流値として最小電流値を設定する。なお、２回目以降の起動指示は、初期段階の後に行われる起動指示である。
【００４５】
次に、光源制御部１２が、ステップＳ２０で設定した電流値でレーザ光源１３ａを動作させる（ステップＳ２１）。
次に、光センサー２０が、光源部１３の射出光の一部を受光し、ＲＧＢの各色成分の検出値を示す検出信号を制御部１０に送信する。そして、制御部１０が、光センサー２０からの検出信号に基づき、ＲＧＢの各色成分の光センサーデータ値を取得する（ステップＳ２２）。
【００４６】
次に、明るさセンサー２２が、光源部１３の射出光の一部を受光し、明るさを示す検出信号を制御部１０に送信する。そして、制御部１０が、明るさセンサー２２からの検出信号に基づき、明るさセンサーデータ値を取得する（ステップＳ２３）。このステップＳ２３は、ステップＳ２２の前に行われても良い。
次に、制御部１０が、現在の電流設定値が最大電流値であるか否かを判定する（ステップＳ２４）。
【００４７】
ステップＳ２４の判定結果が「Ｎｏ」である場合、制御部１０が、光源制御部１２に対して、次段階の電流値を設定する（ステップＳ２５）。このステップＳ２５の後、ステップＳ２１が実行される。
ステップＳ２４の判定結果が「Ｙｅｓ」である場合、制御部１０が、最小電流値から最大電流値までの電流値対センサー値のテーブルを作成する（ステップＳ２６）。この電流値対センサー値のテーブルが、特性データ２１ｂである。
【００４８】
最後に、制御部１０が、ステップＳ２６で作成したテーブルと図５のステップＳ１７で記憶部２１に格納した基準テーブルとに基づき、テーブル補正計算を行って電流値対差分データ２１ｃを作成する（ステップＳ２７）。
【００４９】
図７は、ステップＳ２７のテーブル補正計算の具体的な処理手順を示すフローチャートである。
図７を参照すると、まず、制御部１０が、基準テーブルを記憶部２１から読み出す（ステップＳ３０）。
【００５０】
次に、明るさセンサー２２が、現在設定している電流値での明るさを測定し、その検出値（現在の明るさセンサーデータ値）を制御部１０に送信する。そして、制御部１０が、基準テーブルの作成時に取得した明るさセンサーデータ値に対する、現在の明るさセンサーデータ値の比率（明るさ比率）を計算する（ステップＳ３１）。
【００５１】
次に、制御部１０が、ステップＳ３１で求めた明るさ比率で、図６のステップＳ２６で作成した電流値対センサー値（テーブル値）を割ることで、基準テーブルの作成時（初期段階のテーブル作成時）の光源部１３の状態での電流値対センサー値（テーブル値）に展開する。明るさ比率で現在の電流値対センサー値を割ることで、光源部１３の経年劣化による光量低下の影響を取り除くことができる。そして、制御部１０が、展開した現状での電流値対センサー値（テーブル値）から基準テーブル値を減算することで、差分データテーブルを作成する（ステップＳ３２、Ｓ３３）。この差分データテーブルが、電流値対差分データ２１ｃである。
【００５２】
なお、上述した図６及び図７の処理は、任意のタイミングで、又は、定期的に行われても良い。
【００５３】
図８に、基準テーブルに基づく特性データ２１ａの一例を示す。この特性データ２１ａは、図５のステップＳ１６で作成した電流値対センサー値のテーブルをグラフ化したものである。図８では、ＲＧＢの各色成分について、電流値の変化に対するセンサー値の変化が示され、かつ、明るさについて、電流値の変化に対するセンサー値の変化が示されている。
【００５４】
図９に、特性データ２１ｂの一例を示す。この特性データ２１ｂは、光センサー２０の分光特性に経時変化を生じた場合のものであって、図６のステップＳ２６で作成した電流値対センサー値のテーブルをグラフ化したものである。図９では、ＲＧＢの各色成分について、電流値の変化に対するセンサー値の変化が示され、かつ、明るさについて、電流値の変化に対するセンサー値の変化が示されている。図８に示した初期段階の特性データ２１ａと比較して、緑色センサー値のグラフが、センサー値の高くなる方向に大きくシフトしている。
【００５５】
図９に示した特性データ２１ｂのセンサーデータ値を明るさ比率で割った値から、図８の特性データ２１ａのセンサーデータ値を減算することで、電流値対差分データ２１ｃを作成することができる。
【００５６】
次に、電流値対差分データ２１ｃを用いて分光特性に経時変化を生じた光センサー２０の出力値を補正して色温度を制御する処理について説明する。
図１０は、色温度制御処理の一手順を示すフローチャートである。
図１０参照すると、まず、制御部１０が、光源制御部１２に対して、ＵＩ部１６を介して受け付けた電流値を設定する。そして、光源制御部１２が、設定した電流値でレーザ光源１３ａを動作させる（ステップＳ４０）。
【００５７】
次に、光センサー２０が、光源部１３の射出光の一部を受光し、ＲＧＢの各色成分の検出値を示す検出信号を制御部１０に送信する。そして、制御部１０が、光センサー２０からの検出信号に基づき、ＲＧＢの各色成分の光センサーデータ値を取得する（ステップＳ４１）。
次に、制御部１０が、電流値対差分データ２１ｃに基づき、ステップＳ４１で取得したＲＧＢの各色成分の光センサーデータ値を補正する（ステップＳ４２）。具体的には、光センサーデータ値から差分データを減算することで、光センサーデータ値を補正する。補正後のＲＧＢの各色成分の光センサーデータ値はそれぞれ、色座標（ｘ，ｙ）の計算に用いるＲ／Ｇ／Ｂの値である。
【００５８】
次に、制御部１０が、ステップＳ４２で取得したＲ／Ｇ／Ｂの値を色座標（ｘ，ｙ）への行列変換式に通すことで、光源部１３の射出光の現在の色温度を示す色座標（ｘ，ｙ）の値を算出する。色座標（ｘ，ｙ）への行列変換式を用いた計算は、良く知られた手法であるので、ここではその詳細な説明は省略する。
次に、制御部１０が、ステップＳ４４で取得した現在の色座標（ｘ，ｙ）の値が目標色座標値と一致するか否かを判定する（ステップＳ４５）。
【００５９】
ステップＳ４５の判定結果が「Ｎｏ」である場合、制御部１０が、現在の色座標（ｘ，ｙ）の値と目標色座標値との差（ずれ量）に基づいて、光源部１３の射出光の色温度を目標色座標値に近づけるための電流値を求める。そして、制御部１０が、光源制御部１２に対して、その求めた電流値を設定し、光源制御部１２が、設定した電流値でレーザ光源１３ａを動作させる（ステップＳ４６）。ステップＳ４６の後、ステップ４１が実行される。
なお、上述の動作説明は、青色レーザ光を使用した場合の動作説明であるが、赤色レーザ光等、他の色のレーザ光を用いた場合でも、同様の動作が行われる。
【００６０】
以上説明した本実施形態のプロジェクタによれば、部品交換なしに、光センサー２０の分光特性の経年変化の影響を低減することができる。
また、分光特性に経年変化を生じた光センサー２０を使用しても、正しい色座標を求めることができるため、目標の色座標に確実に合わせこむことができる。
【００６１】
なお、本実施形態のプロジェクタにおいて、以下のような変形を適用することができる。
経年劣化のために光源部１３の光量が低下するため、この光量低下の影響を考慮して電流値対差分データ２１ｃを作成している。しかし、光源部１３の経年劣化を考慮する必要が無い場合は、明るさセンサー２２を取り除いても良い。この場合は、図５の手順において、ステップＳ１３を削除し、図６の手順において、ステップＳ２３を削除し、図７の手順において、ステップＳ３１を削除し、かつ、ステップＳ３２を「取得テーブル値−基準テーブル値」に変更することで、動作を説明することができる。
また、図４に示したように、緑色分光特性の経時変化が最も大きいことから、緑色成分についてのみ、光センサー２０の出力値の補正を行っても良い。
【００６２】
また、光源部１３は、電流の供給を受けて、赤色成分、緑色成分および青色成分を含む混色光を射出し、供給電流量に応じて各色成分の光量および割合が変化する構成であれば、どのような構成を適用しても良い。
例えば、光源部１３は、励起光源であるレーザ光源と蛍光体とを組み合わせた構成であっても良い。この場合、光源部１３は、青色レーザ光を射出するレーザ光源と、青色レーザ光の一部を赤色成分および緑色成分を含む蛍光に変換し、該蛍光と該青色レーザ光の残りとを含む混色光を射出する蛍光体部と、を有していても良い。
また、光源部１３は、ＲＧＢの各色の光源として、レーザ光源又はＬＥＤ若しくはこれら光源の組み合わせたものを備えていても良い。
【符号の説明】
【００６３】
１  制御部
２  光源部
３  光センサー
４  記憶部
【図１】
2019158642.tif 000003
【図２】
2019158642.tif 000004
【図３】
2019158642.tif 000005
【図４】
2019158642.tif 000006
【図５】
2019158642.tif 000007
【図６】
2019158642.tif 000008
【図７】
2019158642.tif 000009
【図８】
2019158642.tif 000010
【図９】
2019158642.tif 000011
【図１０】
2019158642.tif 000012